(57)【要約】      （修正有）【課題】乾燥させやすく、乾燥後に容易に取り込める物干し竿用ハンガー掛けを提供する。【解決手段】物干し竿１２の上側を指向する部分に固定され、長手方向に延びる大径部の途中に大径部の厚みに比較して薄い複数の小径部が間隔をあけて形成され、小径部にハンガー４０のフックが引っ掛けられるようになしたハンガー掛け本体２０と、軟質の合成樹脂材料を用いて製造され、物干し竿が掛けられる物干し台１０の受け部１１に固定され、物干し竿を受けて変形して物干し竿を廻り止めする軟質受け部材３０と、を備える。【選択図】図１
0003181324.tif 000002
【実用新案登録請求の範囲】
【請求項１】
物干し竿（１２）の上側を指向する部分に固定され、長手方向に延びる大径部（２１）の途中に上記大径部（２１）の厚みに比較して薄い複数の小径部（２２）が間隔をあけて形成され、該小径部（２２）にハンガー（４０）のフックが引っ掛けられるようになしたハンガー掛け本体（２０）と、
軟質の合成樹脂材料を用いて製造され、物干し竿（１２）が掛けられる物干し台（１０）の受け部（１１）に固定され、物干し竿（１２）を受けて変形して物干し竿（１２）を廻り止めする軟質受け部材（３０）と、
を備えたことを特徴とする物干し竿用ハンガー掛。
【請求項２】
上記ハンガー掛け本体（２０）が粘着剤によって物干し竿（１２）に固着されている請求項１記載の物干し竿用ハンガー掛け。
【請求項３】
上記軟質受け部材（３０）が軟質ポリ塩化ビニルを用いて断面逆Ｕ字状に形成され、上記上記物干し台（１０）の受け部（１１）に上側から嵌め込まれている請求項１記載の物干し竿用ハンガー掛け。
【考案の詳細な説明】
【技術分野】
【０００１】
本考案は物干し竿用ハンガー掛けに関し、特に乾燥しやすさを確保できるとともに、乾燥後に容易に取り込めるようにしたハンガー掛けに関する。
【背景技術】
【０００２】
洗濯物を乾かす場合、衣類などの洗濯物をハンガーに掛け、ハンガーのフックを物干し竿に引っ掛けることが行われるが、洗濯物が風を受けて相互の間隔が近くなり過ぎると、風が通らず、洗濯物が乾き難くなる。
【０００３】
そこで、物干し竿に複数の突起物を間隔をあけて取付け、突起物の間にハンガーのフックを引っ掛けて洗濯物の間隔を維持するようにしたハンガー掛けが提案されている（特許文献１）。このハンガー掛けは、物干し竿を反転させると、洗濯物を寄せて取り込むことができるので、便利である。
【０００４】
また、一対のピンチの間に板状本体を固定し、板状本体に複数の穴を間隔をあけて形成し、ピンチで物干し竿を把持し、板状本体の穴にハンガーのフックを通すようにしたハンガー掛けが提案されている（特許文献２）。
【先行技術文献】
【特許文献】
【０００５】
【特許文献１】実用新案登録第３０４１６５５号公報
【特許文献２】特開２００７−９８６１０号公報
【考案の開示】
【考案が解決しようとする課題】
【０００６】
しかし、特許文献１記載のハンガー掛けでは物干し竿の上側に突起物があるので、物干し竿の重心が物干し竿の中心線よりも上方に位置しており、物干し竿がステンレス材料のような重い竿の場合には問題ないものの、合成樹脂材料などのように軽量の竿の場合には洗濯物が強風を受けて大きく揺れると、物干し竿が反転し、洗濯物の間隔が維持できずに狭くなってしまい、乾燥し難くなる。
【０００７】
他方、特許文献２記載のハンガー掛けでは板状本体の穴にハンガーのフックを引っ掛けているので、洗濯物が強風を受けて大きく揺れて物干し竿が反転しても、洗濯物の間隔が狭くなることはなく、乾燥しやすさを確保できるものの、洗濯物が乾いても、洗濯物を１つずつ板状本体から取り込まなければならず、煩わしい。
【０００８】
本考案はかかる問題点に鑑み、乾燥しやすさを確保できるとともに、乾燥後に容易に取り込めるようにした物干し竿用ハンガー掛けを提供することを課題とする。
【課題を解決するための手段】
【０００９】
そこで、本考案に係る物干し竿用ハンガー掛けは、物干し竿の上側を指向する部分に固定され、長手方向に延びる大径部の途中に上記大径部の厚みに比較して薄い複数の小径部が間隔をあけて形成され、該小径部にハンガーのフックが引っ掛けられるようになしたハンガー掛け本体と、軟質の合成樹脂材料を用いて製造され、物干し竿が掛けられる物干し台の受け部に固定され、物干し竿を受けて変形して物干し竿を廻り止めする軟質受け部材と、を備えたことを特徴とする。
【００１０】
本考案の特徴の１つはハンガー受け本体を物干し竿の上側を指向する部分に固着し、ハンガー受け本体の大径部の途中に小径部を間隔をあけて形成し、小径部にハンガーのフックを引っ掛けるようにした点にある。これにより、乾燥中に洗濯物の間隔が狭くなることはなく、洗濯物を乾燥させやすい一方、物干し竿を反転させると、ハンガーを自由に寄せることができるので、洗濯物を取り込みやすい。
【００１１】
本考案の第２の特徴は物干し台の受け部に軟質の受け部材を固着するようにした点にある。これにより、物干し竿が合成樹脂材料のような軽量の竿の場合にも、乾燥中に洗濯物が強風を受けて大きく揺れても、物干し竿が反転するおそれは少なく、洗濯物の間隔を維持して乾燥のしやすさを確保できる。
【００１２】
ハンガー掛け本体はねじや取付け治具によって物干し竿に取付けてもよいが、煩わしい。そこで、両面粘着テープなどの粘着剤によって物干し竿に固着させるのがよい。
【００１３】
軟質受け部材は物干し台の受け部に固定すればよく、例えば軟質ポリ塩化ビニルを用いて断面逆Ｕ字状に形成し、物干し台の受け部に上側から嵌め込むようにするのがよい。
【図面の簡単な説明】
【００１４】
【図１】本考案に係る物干し竿用ハンガー掛けの好ましい実施形態を示す概略斜視図である。
【図２】上記実施形態における物干し竿とハンガー掛け本体を示す概略斜視図である。
【図３】上記実施形態における物干し竿とハンガー掛け本体を示す概略側面図である。
【図４】上記ハンガー掛け本体を示す要部断面正面図である。
【図５】上記実施形態における物干し台の受け部と軟質受け部材とを示す概略正面図である。
【図６】上記実施形態にせる軟質受け部材を示す正面図である。
【考案を実施するための形態】
【００１５】
以下、本考案を図面に示す具体例に基づいて詳細に説明する。図１ないし図６は本考案に係る物干し竿用ハンガー掛けの好ましい実施形態を示す。図において、物干し竿用ハンガー掛けはハンガー掛け本体２０と軟質受け部材３０とから構成されている。
【００１６】
ハンガー掛け本体２０は例えばポリ塩化ビニル等の合成樹脂材料を用いて製造され、例えば曲率半径２０Ｒの大径部２１の途中に例えば曲率半径１５Ｒの小径部２２を間隔、例えば１００ｍｍの間隔をあけて形成した形状をなし、例えば曲率半径１４．５Ｒの物干し竿１２の上方を指向する部分に両面粘着テープ等によって長手方向に延びるように固着されており、小径部２２にハンガー４０のフックが引っ掛けられるようになっている。
【００１７】
軟質受け部材３０は軟質のポリ塩化ビニルを用いて、例えば幅１５ｍｍ、高さ２０ｍｍ、長さ１２０ｍｍ、曲率半径４．５Ｒの円弧状内面を有する断面逆Ｕ字状に製造され、物干し台１０の物干し竿１２を受けるＵ字状の受け部１１に上側から嵌め込まれ、物干し竿１２を受けてわずかに変形して物干し竿１２を廻り止めするようになっている。
【００１８】
本例のハンガー掛けでは、ハンガー受け本体２０を物干し竿１２の上側を指向する部分に固着し、ハンガー受け本体２０の大径部２１の途中に小径部２２を間隔をあけて形成し、小径部２２にハンガー４０のフックを引っ掛けるようにしたので、乾燥中に洗濯物の間隔が維持されて狭くなることはなく、洗濯物を乾燥させやすい。
【００１９】
また、物干し竿１２を反転させると、ハンガー４０のフックが物干し竿１２の凹凸の少ない外面に乗ることになるので、ハンガー４０を自由に寄せることができ、洗濯物を取り込みやすい。
【００２０】
また、物干し台１０の受け部１１に軟質の受け部材３０を上側から嵌め込むようにしたので、物干し竿１２が受けられると、軟質受け部材３０がわずかに変形して物干し竿１２を保持し、物干し竿１２が合成樹脂材料のような軽量の竿の場合にも、乾燥中に洗濯物が強風を受けて大きく揺れても、物干し竿１２が反転するおそれは少なく、洗濯物の間隔を維持して乾燥のしやすさを確保できる。
【００２１】
なお、物干し台の受け部が小さい場合、軟質受け部材は例えば幅１０ｍｍ、高さ１５ｍｍ、長さ１２０ｍｍ、曲率半径３Ｒの円弧状内面を有する断面逆Ｕ字状に製造したものを採用することができる。
【符号の説明】
【００２２】
１０    物干し台
１１    受け部
１２    物干し竿
２０    ハンガー掛け本体
２１    大径部
２２    小径部
３０    軟質受け部材
４０    ハンガー
【図１】
0003181324.tif 000003
【図２】
0003181324.tif 000004
【図３】
0003181324.tif 000005
【図４】
0003181324.tif 000006
【図５】
0003181324.tif 000007
【図６】
0003181324.tif 000008